(57)【要約】【課題】テープ痕を積極的に利用することを課題とする。【解決手段】複数の竿体が伸縮可能に連結される振出式の釣り具であって、前側の竿体１は、後部の外周面に、成形テープによるテープ痕の段差部が前側を向いている前テープ痕領域１２を有し、後側の竿体２は、前部の外周面に、成形テープによるテープ痕の段差部が後側を向いている後テープ痕領域を有しており、穂先竿は、後部の外周面に前テープ痕領域を有し、元竿は、前部の外周面に後テープ痕領域を有し、二番竿と三番竿は、それぞれ前部の外周面に後テープ痕領域を有し、且つ、後部の外周面に前テープ痕領域を有している。【選択図】図１
2020074693.tif 000002
【特許請求の範囲】
【請求項１】
複数の竿体が伸縮可能に連結される振出式の釣り具であって、
前側の竿体は、後部の外周面に、成形テープによるテープ痕の段差部が前側を向いている前テープ痕領域を有し、後側の竿体は、前部の外周面に、成形テープによるテープ痕の段差部が後側を向いている後テープ痕領域を有している、竿体を備えた釣り具。
【請求項２】
第一の竿体と、該第一の竿体の後側に連結される第二の竿体と、該第二の竿体の後側に連結される第三の竿体とを備え、第一の竿体は、後部の外周面に前テープ痕領域を有し、第二の竿体は、前部の外周面に後テープ痕領域を有し、且つ、後部の外周面に前テープ痕領域を有し、第三の竿体は、前部の外周面に後テープ痕領域を有している請求項１記載の釣り具。
【請求項３】
穂先竿は、後部の外周面に前テープ痕領域を有し、元竿は、前部の外周面に後テープ痕領域を有し、穂先竿と元竿との間に位置する一又は複数の中間竿は、前部の外周面に後テープ痕領域を有し、且つ、後部の外周面に前テープ痕領域を有している請求項１記載の釣り具。
【請求項４】
複数の竿体が前後に連結分離可能な継ぎ式の釣り具であって、
前側の竿体は、後部の外周面に、成形テープによるテープ痕の段差部が後側を向いている後テープ痕領域を有し、後側の竿体は、前部の外周面に、成形テープによるテープ痕の段差部が前側を向いている前テープ痕領域を有している、竿体を備えた釣り具。
【請求項５】
穂先竿は、後部の外周面に後テープ痕領域を有し、元竿は、前部の外周面に前テープ痕領域を有し、穂先竿と元竿との間に位置する一又は複数の中間竿は、前部の外周面に前テープ痕領域を有し、且つ、後部の外周面に後テープ痕領域を有している請求項４記載の釣り具。
【発明の詳細な説明】
【技術分野】
【０００１】
本発明は、振出竿及び継ぎ竿等の釣り具に関する。
【背景技術】
【０００２】
例えば振出竿は複数の竿体を備えている。竿体のブランクは、一般には、プリプレグから形成される。プリプレグはマンドレルに巻回され、その上から成形テープで加圧される。そのため、成形テープを剥離した後のブランクには螺旋状のテープ痕が残る。そして、そのテープ痕を消すために、ブランクの外周面が研磨される。
【先行技術文献】
【特許文献】
【０００３】
【特許文献１】特開平８−３８００２号公報
【発明の概要】
【発明が解決しようとする課題】
【０００４】
それゆえに本発明は上記従来の問題点に鑑みてなされ、テープ痕を積極的に利用することを課題とする。
【課題を解決するための手段】
【０００５】
本発明は上記課題を解決すべくなされたものであって、本発明に係る竿体を備えた釣り具は、複数の竿体が伸縮可能に連結される振出式の釣り具であって、前側の竿体は、後部の外周面に、成形テープによるテープ痕の段差部が前側を向いている前テープ痕領域を有し、後側の竿体は、前部の外周面に、成形テープによるテープ痕の段差部が後側を向いている後テープ痕領域を有している。尚、竿先側を前側とし、竿元側を後側とする。
【０００６】
例えば振出竿を延ばした状態では、前側の竿体の後端部の外周面が後側の竿体の前端部の内周面に摩擦により当接して固定されている。この振出竿を仕舞う際には、例えば右手で前側の竿体の後部を把持すると共に左手で後側の竿体の前部を把持して、右手を左手に近づけるようにして、前側の竿体を後側の竿体の内側に収納する。前側の竿体の後部の外周面には前テープ痕領域が形成されていて、前テープ痕領域の段差部は前側を向いているので、右手が後側に滑りにくい。また、後側の竿体の前部の外周面には後テープ痕領域が形成されていて、後テープ痕領域の段差部は後側を向いているので、左手が前側に滑りにくい。従って、前側の竿体を後側の竿体に容易に収納できる。
【０００７】
特に、第一の竿体と、該第一の竿体の後側に連結される第二の竿体と、該第二の竿体の後側に連結される第三の竿体とを備えている場合には、第一の竿体は、後部の外周面に前テープ痕領域を有し、第二の竿体は、前部の外周面に後テープ痕領域を有し、且つ、後部の外周面に前テープ痕領域を有し、第三の竿体は、前部の外周面に後テープ痕領域を有していることが好ましい。第一の竿体と第三の竿体との間に位置する第二の竿体が後テープ痕領域と前テープ痕領域の双方を有していることにより、第三の竿体に第二の竿体を容易に収納できると共に第二の竿体に第一の竿体を容易に収納できる。尚、この場合、振出竿は少なくとも三本の竿体を備えていればよく、四本以上の竿体を備えていてもよい。振出竿が四本以上の竿体を備えている場合には、第一の竿体は穂先竿であってもよいし、穂先竿の後側に連結される二番竿（穂持ち竿）や、二番竿の後側に連結される三番目の竿体である三番竿等であってもよい。四本以上の竿体のうち連続する三本の竿体が第一の竿体から第三の竿体となる。
【０００８】
また、穂先竿は、後部の外周面に前テープ痕領域を有し、元竿は、前部の外周面に後テープ痕領域を有し、穂先竿と元竿との間に位置する一又は複数の中間竿は、前部の外周面に後テープ痕領域を有し、且つ、後部の外周面に前テープ痕領域を有していることが好ましい。尚、複数の中間竿を備える場合には、その複数の中間竿が、それぞれ後テープ痕領域と前テープ痕領域を有していることが好ましい。
【０００９】
また、本発明に係る竿体を備えた釣り具は、複数の竿体が前後に連結分離可能な継ぎ式の釣り具であって、前側の竿体は、後部の外周面に、成形テープによるテープ痕の段差部が後側を向いている後テープ痕領域を有し、後側の竿体は、前部の外周面に、成形テープによるテープ痕の段差部が前側を向いている前テープ痕領域を有している。
【００１０】
例えば継ぎ竿においては、前側の竿体の後端部と後側の竿体の前端部とが継ぎ合わせられる。前後に連結された前後二つの竿体を分離する場合、例えば右手で前側の竿体の後部を把持すると共に左手で後側の竿体の前部を把持して、右手を左手から遠ざけるようにして、前後の竿体同士を引き離す。前側の竿体の後部の外周面には後テープ痕領域が形成されていて、後テープ痕領域の段差部は後側を向いているので、右手が前側に滑りにくい。また、後側の竿体の前部の外周面には前テープ痕領域が形成されていて、前テープ痕領域の段差部は前側を向いているので、左手が後側に滑りにくい。従って、前後の竿体同士を容易に分離できる。
【００１１】
特に、穂先竿は、後部の外周面に後テープ痕領域を有し、元竿は、前部の外周面に前テープ痕領域を有し、穂先竿と元竿との間に位置する一又は複数の中間竿は、前部の外周面に前テープ痕領域を有し、且つ、後部の外周面に後テープ痕領域を有していることが好ましい。中間竿が前テープ痕領域と後ープ痕領域の双方を有していることにより、中間竿をその前後の竿体から容易に分離できる。尚、複数の中間竿を備える場合には、その複数の中間竿が、それぞれ前テープ痕領域と後テープ痕領域を有していることが好ましい。
【発明の効果】
【００１２】
以上のように、複数の竿体同士の連結部分の前後に、段差部の向きが互いに異なるテープ痕領域を有することにより、振出式の釣り具においては前側の竿体を後側の竿体に容易に収納でき、継ぎ式の釣り具においては前後の竿体同士を容易に分離できる。
【図面の簡単な説明】
【００１３】
【図１】本発明の一実施形態における振出竿の要部を示す正面図。
【図２】（ａ）は前テープ痕領域の拡大断面図、（ｂ）は同領域の成形テープ剥離前の状態を示す断面図。
【図３】（ａ）は後テープ痕領域の拡大断面図、（ｂ）は同領域の成形テープ剥離前の状態を示す断面図。
【図４】同振出竿の要部を示す正面図。
【図５】（ａ）及び（ｂ）は、同振出竿の要部を示す正面図。
【図６】本発明の他の実施形態における継ぎ竿の要部を示す正面図。
【図７】同継ぎ竿の要部を示す正面図。
【発明を実施するための形態】
【００１４】
以下、本発明の一実施形態に係る釣り具としての振出竿について図１〜図５を参酌しつつ説明する。振出竿は、複数の竿体を備えている。複数の竿体は伸縮可能に連結される。本実施形態では釣糸ガイドを備えていない延べ竿を示しているが、磯竿等のような釣糸ガイドを備えたものであってもよい。
【００１５】
図１に、振出竿の複数の竿体のうち、二本の竿体１，２の連結部分を示している。二本の竿体１，２は複数の竿体のうちの何れであってもよく、互いに前後に連結される二本であればよい。振出竿を延ばした状態では、前側の竿体１の後端部の外周面が後側の竿体２の前端部の内周面に摩擦により当接して固定され、前側の竿体１はそれ以上後側の竿体２から前側に引き出すことができない。振出竿を仕舞う際には、前側の竿体１は後側の竿体２の内側に収納される。
【００１６】
前側の竿体１と後側の竿体２は、それぞれプリプレグから形成された筒状のブランク１０，２０を備えている。ブランク１０，２０の外周面には成形テープによる螺旋状のテープ痕が残存している領域がある。ブランク１０，２０は、マンドレルにプリプレグを巻回し、加圧、焼成して形成される。加圧の際、プリプレグの上に、成形テープが所定のピッチで螺旋状に巻回される。ピッチは、例えば数ミリであって成形テープのテープ幅よりも小さい。特に、ピッチは、テープ幅の半分よりも小さいことが好ましく、テープ幅の１／１０程度とすることが好ましく、２ｍｍ以下とすることが好ましい。成形テープは、隣の成形テープと重なり合うようにしながら螺旋状に巻回される。成形テープは、焼成後に剥離される。成形テープを剥離した後のブランク１０，２０の外周面にはセロ目とも称されるテープ痕が螺旋状に形成される。テープ痕は、段差部を有しており、成形テープがブランク１０，２０の後端部から前端部に向けて巻回されると、テープ痕の段差部は後側を向く。即ち、テープ痕の段差部の端面は後側を向いた状態となる。成形テープがブランク１０，２０の前端部から後端部に向けて巻回されると、テープ痕の段差部は前側を向く。即ち、テープ痕の段差部の端面は前側を向いた状態となる。
【００１７】
前側の竿体１のブランク１０の外周面の後部には、成形テープ１００のテープ痕の段差部１１が前側を向いた前テープ痕領域１２が残存している。前テープ痕領域１２を図２（ａ）に示している。図２（ａ）のように、前テープ痕領域１２は、テープ痕の段差部１１の端面１１ａが前側を向いている。テープ痕の段差部１１はブランク１０の軸線方向即ち前後方向に沿って一定間隔毎に形成されている。この段差部１１同士の間の間隔が成形テープ１００の巻回ピッチである。
【００１８】
図２（ａ）においては簡略化のため、隣り合う段差部１１同士の間の部分は、後側に向けて縮径する直線状の逆テーパ面１３として示しているが、逆テーパ面１３の大部分がほとんど傾斜していない周面であってもよい。段差部１１の端面１１ａは急な角度であり、逆テーパ面１３は緩い角度である。このような前テープ痕領域１２におけるテープ痕は、図２（ｂ）のように、プリプレグの外周面に成形テープ１００を螺旋状に巻回することによって形成される。図２（ｂ）では、見やすくするため、成形テープ１００のテープ幅を小さくして図示している。このように成形テープ１００は、前テープ痕領域１２においては、前側から後側に向けて所定のピッチで重なり合うようにしながら螺旋状に巻回される。加熱焼成後に成形テープ１００を剥離すると、図２（ａ）のような状態となる。
【００１９】
一方、後側の竿体２のブランク２０の外周面の前部には、成形テープ１００のテープ痕の段差部２１が後側を向いた後テープ痕領域２２が残存している。後テープ痕領域２２を図３（ａ）に示している。図３（ａ）のように、後テープ痕領域２２は、テープ痕の段差部２１の端面２１ａが後側を向いており、前テープ痕領域１２とは逆向きとなっている。テープ痕の段差部２１はブランク２０の軸線方向即ち前後方向に沿って一定間隔毎に形成されている。この段差部２１同士の間の間隔が成形テープ１００の巻回ピッチであり、本実施形態では前テープ痕領域１２におけるピッチと同じピッチとしているが、互いに異なっていてもよい。前テープ痕領域１２の成形テープ１００と後テープ痕領域２２の成形テープ１００は、互いに同じものであってもよいし異なるものであってもよい。即ち、成形テープ１００の材質や厚さ、テープ幅、テンション等は同じであってもよいし、異なっていてもよい。
【００２０】
図３（ａ）においては簡略化のため、隣り合う段差部２１同士の間の部分は、後側に向けて拡径する直線状のテーパ面２３として示しているが、テーパ面２３の大部分がほとんど傾斜していない周面であってもよい。段差部２１の端面２１ａは急な角度であり、テーパ面２３は緩い角度である。このような後テープ痕領域２２におけるテープ痕は、図３（ｂ）のように、プリプレグの外周面に成形テープ１００を螺旋状に巻回することによって形成される。図３（ｂ）では、見やすくするため、成形テープ１００のテープ幅を小さくして図示している。このように成形テープ１００は、後テープ痕領域２２においては、後側から前側に向けて所定のピッチで重なり合うようにしながら螺旋状に巻回される。加熱焼成後に成形テープ１００を剥離すると、図３（ａ）のような状態となる。
【００２１】
振出竿を仕舞う際、例えば右手で前側の竿体１の後部を把持すると共に左手で後側の竿体２の前部を把持して、右手を左手に近づけるようにして前側の竿体１を後側の竿体２の内側に収納する。前側の竿体１の後部の外周面には前テープ痕領域１２が形成されていて、前テープ痕領域１２の段差部１１は前側を向いているので、右手が後側に滑りにくい。また、後側の竿体２の前部の外周面には後テープ痕領域２２が形成されていて、後テープ痕領域２２の段差部２１は後側を向いているので、左手が前側に滑りにくい。即ち、両手を互いに容易に接近させることができる。従って、前側の竿体１の後端部外周面と後側の竿体２の前端部内周面との間の摩擦による固定状態を容易に解除でき、前側の竿体１を後側の竿体２に容易に収納できる。
【００２２】
図４に振出竿の全体構成を簡略化して示している。図４では簡略化のため竿体が四本の場合について説明するが、五本以上であっても同様である。振出竿は、前側から順に、穂先竿３と、穂持ち竿とも称される二番竿４と、元上竿とも称される三番竿５と、元竿６とを備えている。二番竿４及び三番竿５の数字は、穂先竿３を一番としたときの数字である。二番竿４と三番竿５は穂先竿３と元竿６との間に位置する中間竿となる。図４では中間竿が二本の場合を示しているが、中間竿が三本以上であっても同様である。
【００２３】
穂先竿３は、ブランク３０の後部の外周面に前テープ痕領域１２を有している。穂先竿３のブランク３０の外周面の全長に亘って前テープ痕領域１２が形成されていてもよいし、穂先竿３のブランク３０の外周面の全長のうち後部のみに前テープ痕領域１２が形成されていてもよい。元竿６は、ブランク６０の前部の外周面に後テープ痕領域２２を有している。元竿６のブランク６０の外周面の全長に亘って後テープ痕領域２２が形成されていてもよいし、元竿６のブランク６０の外周面の全長のうち前部のみに後テープ痕領域２２が形成されていてもよい。二番竿４は、ブランク４０の前部の外周面に後テープ痕領域２２を有し、ブランク４０の後部の外周面に前テープ痕領域１２を有している。
【００２４】
図５（ａ）に二番竿４の全体を示している。二番竿４のブランク４０の外周面の全長のうち前側略半分の領域が後テープ痕領域２２である。二番竿４のブランク４０の外周面の全長のうち後側略半分の領域は前テープ痕領域１２である。二番竿４のブランク４０の外周面は、前側の後テープ痕領域２２と後側の前テープ痕領域１２という二つの領域に区画される。後テープ痕領域２２と前テープ痕領域１２の比率は、本実施形態では略１：１となっているが、種々であってよい。後テープ痕領域２２と前テープ痕領域１２との境界部９０の位置は任意であって、本実施形態では境界部９０がブランク４０の前後方向の中央部に位置しているが、境界部９０がブランク４０の前後方向の中央部よりも前側に位置していたり後側に位置していたりしてもよい。この境界部９０は、成形テープ１００の巻き付け方向が変わる部分である。
【００２５】
尚、図５（ｂ）のように、ブランク４０の前後方向の中央部に、所定長さの塗装部９１を形成してもよい。塗装部９１を設けると、塗装部９１によって後テープ痕領域２２と前テープ痕領域１２が区画される。塗装部９１は、ブランク４０の外周面の全周に亘って形成される。塗装部９１は、ブランク４０の境界部９０を覆っている。ブランク４０の外周面のうち境界部９０を含む所定長さ部分は、研磨された後に塗装され、それによって塗装部９１が形成される。塗装部９１においては、テープ痕は研磨により除去されている。穂先竿３の後端部の外周面や二番竿４の後端部の外周面、三番竿５の後端部の外周面等、後側の竿体との連結部分である前側の竿体の後端部の外周面は、研磨によりテープ痕が除去されていてもよい。
【００２６】
三番竿５は二番竿４と同様の構成である。即ち、三番竿５は、ブランク５０の前部の外周面に後テープ痕領域２２を有し、ブランク５０の後部の外周面に前テープ痕領域１２を有している。尚、中間竿を三本以上備える場合には、三本以上の中間竿の全てを上記二番竿４や三番竿５と同様に後テープ痕領域２２と前テープ痕領域１２の双方を備えていることが好ましい。このように中間竿である二番竿４や三番竿５が後テープ痕領域２２と前テープ痕領域１２の双方を有していることにより、元竿６に三番竿５を容易に収納でき、三番竿５には二番竿４を容易に収納でき、二番竿４には穂先竿３を容易に収納できる。
【００２７】
次に、継ぎ竿の場合について説明する。継ぎ竿は、複数の竿体を備えている。複数の竿体は前後に連結分離可能である。継ぎ竿の継ぎ方式は、並継ぎ、逆並継ぎ、印籠継ぎ等であるが、一例として、並継ぎの場合を図６に示している。継ぎ竿の竿体の本数は二本以上であればよい。図６は、複数の竿体のうち、二本の竿体１，２の連結部分を示している。二本の竿体１，２は複数の竿体の何れであってもよく、互いに前後に連結される二本であればよい。継ぎ竿においては、前側の竿体１の後端部と後側の竿体２の前端部とが継ぎ合わせられる。並継ぎにおいて前側の竿体１と後側の竿体２とを連結した状態では、前側の竿体１の後端部の外周面が後側の竿体２の前端部の内周面に摩擦により当接して固定され、前側の竿体１はそれ以上後側には移動できない。
【００２８】
前側の竿体１のブランク１０の外周面の後部には、後テープ痕領域２２が残存しており、後側の竿体２のブランク２０の外周面の前部には、前テープ痕領域１２が残存している。前側の竿体１と後側の竿体２を互いに分離する場合、例えば右手で前側の竿体１の後部を把持すると共に左手で後側の竿体２の前部を把持して、右手を左手から遠ざけるようにして、前後の竿体１，２同士を引き離す。前側の竿体１の後部の外周面には後テープ痕領域２２が形成されていて、後テープ痕領域２２の段差部２１は後側を向いているので、右手が前側に滑りにくい。また、後側の竿体２の前部の外周面には前テープ痕領域１２が形成されていて、前テープ痕領域１２の段差部１１は前側を向いているので、左手が後側に滑りにくい。即ち、両手を互いに容易に離間させることができる。従って、前側の竿体１の後端部外周面と後側の竿体２の前端部内周面との間の摩擦による固定状態を容易に解除でき、前後の竿体１，２同士を容易に分離できる。
【００２９】
図５に継ぎ竿の全体構成を簡略化して示している。図５は簡略化のため竿体が三本の場合について説明するが、四本以上であっても同様である。継ぎ竿は、穂先竿３と二番竿４と元竿６を備えている。二番竿４が中間竿であるが、中間竿が二本以上の場合も同様である。穂先竿３は、ブランク３０の後部の外周面に後テープ痕領域２２を有している。穂先竿３のブランク３０の外周面の全長に亘って後テープ痕領域２２が形成されていてもよいし、穂先竿３のブランク３０の外周面の全長のうち後部のみに後テープ痕領域２２が形成されていてもよい。元竿６は、ブランク６０の前部の外周面に前テープ痕領域１２を有している。元竿６のブランク６０の外周面の全長に亘って前テープ痕領域１２が形成されていてもよいし、元竿６のブランク６０の外周面の全長のうち前部のみに前テープ痕領域１２が形成されていてもよい。二番竿４は、ブランク４０の前部の外周面に前テープ痕領域１２を有し、ブランク４０の後部の外周面に後テープ痕領域２２を有している。
【００３０】
二番竿４のブランク４０の外周面の全長のうち前側略半分の領域が前テープ痕領域１２であり、後側略半分の領域は後テープ痕領域２２である。二番竿４のブランク４０の外周面は、前側の前テープ痕領域１２と後側の後テープ痕領域２２という二つの領域に区画される。前テープ痕領域１２と後テープ痕領域２２の比率は、本実施形態では略１：１となっているが、種々であってよい。前テープ痕領域１２と後テープ痕領域２２との境界部９０の位置は任意であって、本実施形態では境界部９０がブランク４０の前後方向の中央部に位置しているが、境界部９０がブランク４０の前後方向の中央部よりも前側に位置していたり後側に位置していたりしてもよい。また、境界部９０には塗装部９１を設けてもよい。このように中間竿である二番竿４が前テープ痕領域１２と後テープ痕領域２２の双方を有していることにより、元竿６と二番竿４を容易に分離でき、二番竿４と穂先竿３を容易に分離できる。逆並継ぎや印籠継ぎの場合も同様である。
【００３１】
尚、上記実施形態では、竿体を備えた釣り具として振出竿や継ぎ竿を例示したが、釣り具は釣竿の他、玉ノ柄や竿掛けであってもよい。
【符号の説明】
【００３２】
１    前側の竿体
２    後側の竿体
３    穂先竿
４    二番竿（中間竿）
５    三番竿（中間竿）
６    元竿
１０    ブランク
１１    段差部
１１ａ  端面
１２    前テープ痕領域
１３    逆テーパ面
２０    ブランク
２１    段差部
２１ａ  端面
２２    後テープ痕領域
２３    テーパ面
３０    ブランク
４０    ブランク
５０    ブランク
６０    ブランク
９０    境界部
９１    塗装部
１００  成形テープ
【図１】
2020074693.tif 000003
【図２】
2020074693.tif 000004
【図３】
2020074693.tif 000005
【図４】
2020074693.tif 000006
【図５】
2020074693.tif 000007
【図６】
2020074693.tif 000008
【図７】
2020074693.tif 000009